(57)【要約】【課題】電源コードの収納がスムーズに行え、かつ、電源コード収納時に使用するリリースレバーの熱変形も抑制でき、使い勝手のよい電気掃除機を提供する。【解決手段】塵埃捕集用の集塵体に振動を与える除塵体７と、電源コードを巻き付け可能で、かつ除塵体を駆動するコードリールケース１３と、コードリールケースの回転を制止及び解放するブレーキレバー１７と、除塵体がコードリールケースに駆動されないようにするリリースレバー１８とを備え、コードリールケースは本体内に設けた隔壁体に軸支するとともに、リリースレバーは隔壁体により隔てられたコードリールケースと逆の位置に設けた構成としてある。リリースレバーが隔壁体によりコードリールケースから隔てられているため電源コードに干渉することなく、スムーズに電源コードを収納できる。また、リリースレバーは電源コードの熱の影響を受けなくて熱変形を防止することができる。【選択図】図４
2006158571.tif 000002
【特許請求の範囲】
【請求項１】
吸引風を発する電動送風機を内蔵した本体と、前記本体内の前記電動送風機上流側に設けた塵埃捕集用の集塵体と、前記集塵体に振動を与える除塵体と、前記電動送風機に電力を供給する電源コードを巻き付け可能で、かつ前記除塵体を駆動するコードリールケースと、前記コードリールケースの回転を制止および解放するブレーキレバーと、前記除塵体が前記コードリールケースに駆動されないようにするリリースレバーとを備え、前記コードリールケースは前記本体内に設けた隔壁体に軸支するとともに、前記リリースレバーは前記隔壁体により隔てられたコードリールケースと逆の位置に設けてなる電気掃除機。
【請求項２】
吸引風を発する電動送風機を内蔵した本体と、前記本体内の前記電動送風機上流側に設けた塵埃捕集用の集塵体と、前記集塵体に振動を与える除塵体と、前記除塵体と連動するように軸支され、付勢手段により付勢された加振アーム体と、前記電動送風機に電力を供給する電源コードを巻き付け可能で、かつ前記加振アーム体に振動を与えるリブ体を備えたコードリールケースと、前記コードリールケースの回転を制止する位置および解放する位置に回動可能に取り付けたブレーキレバーと、前記加振アーム体が前記コードリールケースのリブ体に当接しない位置まで押圧可能なリリースレバーと、前記コードリールケースを軸支し保持する隔壁体とを備え、前記リリースレバーを前記隔壁体により隔てられた前記コードリールケースとは逆の位置に設けてなる電気掃除機。
【請求項３】
隔壁体に周囲より隔離されたリリースレバー収納室を設け、リリースレバーを前記リリースレバー収納室に設けた請求項１又は２記載の電気掃除機。
【請求項４】
リリースレバー収納室を、隔壁体と本体の壁により設けた請求項３記載の電気掃除機。
【請求項５】
ブレーキレバー及びリリースレバーを操作する操作ボタンを備え、前記操作ボタンは前記ブレーキレバーと前記リリースレバーの両方に対向配置して、前記ブレーキレバーと前記リリースレバーをともに操作可能な構成とした請求項１〜４のいずれか１項記載の電気掃除機。
【請求項６】
リリースレバーの加振アーム体を押圧する位置を、加振アーム体の軸支部と加振アーム体を付勢する付勢手段との間に設けた請求項２〜５のいずれか１項記載の電気掃除機。
【請求項７】
リリースレバーの加振アーム体を押圧する位置を、加振アーム体の軸支部から加振アーム体を付勢する付勢手段より離れた位置に設けた請求項２〜５のいずれか１項記載の電気掃除機。
【請求項８】
加振アーム体は位置規制リブ体を備え、この位置規制リブ体はリリースレバーが加振アーム体を押圧した時に本体と当接する位置に設けて、加振アーム体の回動を規制する構成とした請求項２〜７のいずれか１項記載の電気掃除機。
【請求項９】
加振アーム体は、軸近傍に一部薄肉部を設けた請求項８記載の電気掃除機。
【請求項１０】
リリースレバーと加振アーム体を異なる材質で構成した請求２〜９のいずれか１項記載の電気掃除機。
【発明の詳細な説明】
【技術分野】
【０００１】
本発明は、紙袋に振動を与える機構を備えた、電気掃除機に関するものである。
【背景技術】
【０００２】
従来の電気掃除機は、塵埃を集塵する紙袋および波状のフィルター類を電動送風機の吸気上流側に備え、また電動送風機に電力を供給するための電源コード、電源コードを巻き取るためのコードリールを有している。このコードリールは掃除基本体内に隔壁を介して形成したコードリール室に設けられ、そのコードリールのブレーキ手段やブレーキ解除手段もコードリール室に設けられていた。 (例えば、特許文献１の段落００２８参照)。
【特許文献１】特開２０００−１５７４６０号公報
【発明の開示】
【発明が解決しようとする課題】
【０００３】
しかしながら、上記構成では、コードリールが発生する熱でブレーキを解除するためのブレーキ解除手段が変形する可能性があり、ブレーキ解除性能が低下する恐れがある。
【０００４】
本発明は上記課題を解決するもので、ブレーキ解除手段の熱変形を防止して信頼性の高い電気掃除機を提供することを目的とする。
【課題を解決するための手段】
【０００５】
上記従来の課題を解決するために本発明は、吸引風を発する電動送風機を内蔵した本体と、前記本体内の前記電動送風機上流側に設けた塵埃捕集用の集塵体と、前記集塵体に振動を与える除塵体と、前記電動送風機に電力を供給する電源コードを巻き付け可能で、かつ前記除塵体を駆動するコードリールケースと、前記コードリールケースの回転を制止および解放するブレーキレバーと、前記除塵体が前記コードリールケースに駆動されないようにするリリースレバーとを備え、前記コードリールケースは前記本体内に設けた隔壁体に軸支するとともに、前記リリースレバーは前記隔壁体により隔てられたコードリールケースと逆の位置に設けた構成としてあり、リリースレバーは隔壁体によりコードリールケースから隔てられているため、リリースレバーが電源コードに干渉することなく、スムーズに電源コードを収納できる。また、リリースレバーは電源コードの熱の影響を受ける事が無く、熱変形を防止することができる。
【発明の効果】
【０００６】
上記発明によれば、長期間使用していても、電源コード収納時に使用するリリースレバーの熱変形を抑制でき、電源コードの収納がスムーズに行え、信頼性の高い電気掃除機とすることが出来る。
【発明を実施するための最良の形態】
【０００７】
第１の発明は、吸引風を発する電動送風機を内蔵した本体と、前記本体内の前記電動送風機上流側に設けた塵埃捕集用の集塵体と、前記集塵体に振動を与える除塵体と、前記電動送風機に電力を供給する電源コードを巻き付け可能で、かつ前記除塵体を駆動するコードリールケースと、前記コードリールケースの回転を制止および解放するブレーキレバーと、前記除塵体が前記コードリールケースに駆動されないようにするリリースレバーとを備え、前記コードリールケースは前記本体内に設けた隔壁体に軸支するとともに、前記リリースレバーは前記隔壁体により隔てられたコードリールケースと逆の位置に設けた構成としてあり、リリースレバーは隔壁体によりコードリールケースから隔てられているため、リリースレバーが電源コードに干渉することなく、スムーズに電源コードを収納できる。また、リリースレバーは電源コードの熱の影響を受ける事が無く、熱変形を防止することができる。
【０００８】
第２の発明は、吸引風を発する電動送風機を内蔵した本体と、前記本体内の前記電動送風機上流側に設けた塵埃捕集用の集塵体と、前記集塵体に振動を与える除塵体と、前記除塵体と連動するように軸支され、付勢手段により付勢された加振アーム体と、前記電動送風機に電力を供給する電源コードを巻き付け可能で、かつ前記加振アーム体に振動を与えるリブ体を備えたコードリールケースと、前記コードリールケースの回転を制止する位置および解放する位置に回動可能に取り付けたブレーキレバーと、前記加振アーム体が前記コードリールケースのリブ体に当接しない位置まで押圧可能なリリースレバーと、前記コードリールケースを軸支し保持する隔壁体とを備え、前記リリースレバーを前記隔壁体により隔てられた前記コードリールケースとは逆の位置に設けた構成としてあり、前記第１の発明と同様の黄河が得られる。
【０００９】
第３の発明は、隔壁体に周囲より隔離されたリリースレバー収納室を設け、リリースレバーを前記リリースレバー収納室に設けた構成としてあり、リリースレバーは周囲より隔離されたリリースレバー収納室に設けられているため、電動送風機の発熱および排気の熱さらに電源コードの熱の影響を受けず、熱変形を防止する事ができる。また、電動送風機からの排気による細塵がリリースレバーに付着する事が無く、細塵付着によるリリースレバーの摩擦を軽減できる。さらに、電源コード等の干渉も無く、より確実にリリースレバーを動作させることができ、使い勝手を向上できる。
【００１０】
第４の発明は、リリースレバー収納室を、隔壁体と本体の壁により設けたもので、蓋体等の別部品を用いることなく、周囲より隔離されたリリースレバー収納室を構成することができ、部品点数を削減でき、安価に使い勝手を向上できる。
【００１１】
第５の発明は、ブレーキレバー及びリリースレバーを操作する操作ボタンを備え、前記操作ボタンは前記ブレーキレバーと前記リリースレバーの両方に対向配置して、前記ブレーキレバーと前記リリースレバーをともに操作可能な構成としたものであり、電源コードを収納する際に、指一本で電源コードの収納と除塵体の動作の抑制を確実かつ簡単に行うことができる。
【００１２】
第６の発明は、リリースレバーの加振アーム体を押圧する位置を、加振アーム体の軸支部と加振アーム体を付勢する付勢手段との間に設けたもので、リリースレバーの加振アーム体を押圧する位置が加振アーム体の軸部と近いため、リリースレバーの摺動距離が少ない場合においても、加振アーム体を大きく回転動作することができ、よって使用者の操作ボタンの摺動動作を少なくすることができ、使い勝手を向上できる。また、リリースレバーの摺動距離を小さくすることができるため、本体の大きさをより小さくすることができる。
【００１３】
第７の発明は、リリースレバーの加振アーム体を押圧する位置を、加振アーム体の軸支部から加振アーム体を付勢する付勢手段より離れた位置に設けたもので、リリースレバーの加振アーム体を押圧する位置が加振アーム体の軸部と離れているため、軽い力で加振アーム体を回転動作することができ、使い勝手を向上できる。
【００１４】
第８の発明は、加振アーム体は位置規制リブ体を備え、この位置規制リブ体はリリースレバーが加振アーム体を押圧した時に本体と当接する位置に設けて、加振アーム体の回動を規制する構成としたもので、加振アーム体はリリースレバーによりどんなに押圧されても、ある一定の回転角度において、本体に当接した位置規制リブにより回動が規制され、その後、加振アーム体はたわみにより変形するだけで回動はしないため、リリースレバーの摺動距離と加振アーム体の回動距離はそれぞれ別々に自由に設定することができ、よって最適な操作ボタン摺動距離と除塵体回転距離をそれぞれに設定できるため、使い勝手を向上できる。
【００１５】
第９の発明は、加振アーム体は、軸近傍に一部薄肉部を設けたもので、加振アーム体が位置規制リブにより回動規制された後、さらにブレーキレバーにより押圧された際に、軸近傍の薄肉部がたわみ、確実にブレーキレバーの力を逃がす事ができるため、使い勝手を向上できる。
【００１６】
第１０の発明は、リリースレバーと加振アーム体を異なる材質で構成したもので、リリースレバーと加振アーム体の当接の際の摩擦による磨耗を軽減することができ、製品の寿命を長くする事ができるため、使い勝手を向上できる。
【００１７】
以下、本発明の実施の形態について、図面を参照しながら説明する。なお、この実施の形態によりこの発明が限定されるものではない。
【００１８】
（実施の形態１）
本発明の第１の実施の形態について、図１〜図１３を用いて説明する。
【００１９】
まず掃除機全体の構成を図１〜図３を用いて説明する。図１は第１の実施の形態における電気掃除機の全体斜視図、図２は同掃除機本体の平面図、図３は図２のＡ−Ａ断面図を示す。
【００２０】
図１〜図３において、本体１は、吸引風を発生させる電動送風機２と、電動送風機２の吸引風の上流側に集塵体である紙袋３を設けている。さらに紙袋３の上流側には、ホース４の一端が接続され、他端には延長管５を介して床用吸込み口６を接続している。また紙袋３の後方には、紙袋３を周期的に叩いて振動を与える除塵体７を備える。
【００２１】
次に図４〜図９を用いて振動機構の詳細について説明する。
【００２２】
図４は振動機構の主用部品の右側面図、図５は同振動機構の左側面図、図６は同振動機構の全体斜視図を示す。また、図７は図４より隔壁体２１を除いた右側面図、図８は図５より隔壁体２１を除いた左側面図、図９は図６より隔壁体２１を除いた全体斜視図を示す。
【００２３】
除塵体７は図３に示すように本体１の底部に軸Ａ８により軸支され、回動自在である。また除塵体７の軸Ａ８の後方には、除塵体７と連動し、付勢手段であるバネ体９により上方に付勢された加振アーム体１０を備える。１３は軸Ｂ１１により本体１に収納されている隔壁体２１(図４参照)に回転可能に軸支されたコードリールで、電動送風機２に電力を供給する電源コード１２を巻き付けて収納できる。またコードリールケース１３は回転時に、加振アーム体１０を周期的に押圧し振動を与える４箇所のリブ体１４(図８参照)を備えている。さらにコードリールケース１３はゼンマイバネ１５を備え、電源コード１２の収納方向である左巻き方向に付勢されている。
【００２４】
１７はブレーキレバーで、軸Ｃ１６により隔壁体２１に軸支され、コードリールケース１３の回転を制止する位置および解放する位置に回動可能に取り付けられる。１８は同じく隔壁体２１に設けたリリースレバーで、上下方向に摺動可能で加振アーム体１０を下方向に押圧可能である。リリースレバー１８の、加振アーム体１０を押圧する位置１８ａは除塵体７の軸Ａ８とバネ体９の間に設定してある。
【００２５】
ここで、前記ブレーキレバー１７とリリースレバー１８とは近接配置して一つの操作ボタンで操作できるように配置してある。すなわち、ブレーキレバー１７をコードリールケース１３の解放方向の位置に回動させる、ブレーキレバー１７の押圧部１９と、リリースレバー１８を加振アーム体１０を押圧方向に摺動させる、リリースレバー１８の押圧部２０を、近接配置してこれらを同時に覆う操作ボタン２６が設けてある。具体的には図１０に示すように、操作ボタン２６の大きさをφ５０ｍｍとし、ブレーキレバー１７の押圧部１９とリリースレバー１８の押圧部２０もφ５０ｍｍ以内の近接した位置に設け、さらにこれらは操作ボタン２６の中心より略同位置に設けて、操作ボタン２６で同時に覆うように構成してある。そして更に、前記リリースレバー１８の押圧部２０は、ブレーキレバー１７の押圧部１９よりも高い位置に設定してある。
【００２６】
また、図１１に示すように、リリースレバー１８はコードリールケース１３から隔壁体２１により隔てられた逆の位置であって、かつ隔壁体２１と本体１の壁２２により形成されたリリースレバー収納室２３に備えられている。また、加振アーム体１０は軸Ａ８の前部に、リリースレバー１８に押圧されて約１０度左回り方向に回転すると本体１と当接する位置に位置規制リブ体２４(図１２参照)を備える。さらに加振アーム体１０は軸Ａ８の近傍に一部薄肉部２５を備えている。一方、リリースレバー１８はＰＯＭ樹脂により形成され、加振アーム体１０はＡＢＳ樹脂により形成されており、それぞれ異なる材質で構成されている。
【００２７】
以上のように構成された電気掃除機について、以下その動作、作用を説明する。
【００２８】
図１２に電源コード１２を引き出す時の動作説明図を示す。掃除を始める前、電源コード１２を掃除機本体１より引き出す際には、電源コード１２を引き出すと、これと同時にコードリールケース１３も左回りに回転し、コードリールケース１３に備えられた４箇所のリブ体１４が周期的に加振アーム体１０を叩く。その際に、加振アーム体１０に連動する除塵体７が軸Ａ８を支点に、周期的に前後に振動し紙袋３を叩く。その振動により紙袋３の表面に付着した細塵は落とされ、紙袋３の目詰まりは解消され、振動なしの場合に比べ目詰まりすることなく、吸引力を持続することができる。
【００２９】
図１３に電源コード１２を収納する時の動作説明図を示す。掃除が終了し、電源コード１２を掃除機本体１に収納する際には、操作ボタン２６を下方向に押すと、操作ボタン２６にリリースレバー１８の押圧部２０があたり、リリースレバー１８が下方向に摺動し、さらにリリースレバー１８が加振アーム体１０を押圧することにより、加振アーム体１０をリブ体１４とあたらない位置に移動させる。その直後、またはほぼ同時に操作ボタン２６にブレーキレバー１７の押圧部１９が押圧され、ブレーキレバー１７は軸Ｃ１６を中心に回転し、コードリールケース１３の回転を解放する位置に移動する。ブレーキレバー１７によるストッパーが無くなったコードリールケース１３は、ゼンマイバネ１５のバネ力により右回りに回転し、電源コード１２を巻き取り、電源コード１２を掃除機本体１内に収納する。電源コード１２が収納される時には、加振アーム体１０がリブ体１４とあたらない位置に移動しているため、紙袋３への振動は行われず、電源コード１２の収納の際の除塵体振動による騒音低減、およびコードリールケース１３の回転の抵抗を減らすことができ、スムーズに電源コード１２を収納できる。さらに、加振アーム体１０は押圧され約１０度左回り方向に回転すると、軸Ａ８の前部に備えた位置規制リブ２４が本体１とあたり、さらにリリースレバー１８で押されても、加振アーム体１０は薄肉部２５部によりたわみ、除塵体７はそれ以上回転しない構成となっている。
【００３０】
電源コード１２を収納する際、操作ボタン２６の大きさがφ５０ｍｍで、ブレーキレバー１７の押圧部１９と、リリースレバー１８の押圧部２０がφ５０ｍｍ以内の位置に近接しているため、１つの指で操作ボタン２６を押すこととにより、確実かつ簡単にブレーキレバー１７とリリースレバー１８を同時に押すことができ、使い勝手を向上できる。また、操作ボタン２６の中心を押されなかった場合においても、操作ボタン２６の大きさがφ５０ｍｍと、１つの指で確実に全体に力を加えれる大きさであるため、片方だけではなく、ブレーキレバー１７とリリースレバー１８の両方を確実に押圧、動作できる。
【００３１】
また、ブレーキレバー１７の押圧部１９とリリースレバー１８の押圧部２０が、操作ボタン２６の中心より略均等の位置に設けてあるため、操作ボタン２６の略中心を押すことにより、ブレーキレバー１７とリリースレバー１８に均等に力を伝えることができ、より確実にブレーキレバー１７およびリリースレバー１８を動作させることができ、使い勝手を向上できる。
【００３２】
一方、リリースレバー１８の押圧部２０は、ブレーキレバー１７の押圧部１９よりも高い位置に設けてあるため、ブレーキレバー１７よりもリリースレバー１８を先により確実に押圧し、動作することができ、簡単な構成で、電源コード１２の収納よりも先に除塵体７の抑制を行うことにより、コード収納時に除塵体が動作してしまうのを確実に防ぐことができ、電源コード１２収納時の除塵体７の動作騒音および抵抗を確実に無くし、スムーズに電源コード１２を収納できるため、使い勝手を向上できる。なお、これは操作ボタン２６が、ブレーキレバー１７よりも先にリリースレバー１８を動作させる構成であればどのように構成してもよく、例えばブレーキレバー１７とリリースレバー１８を同じ高さとしてこれを押圧する操作ボタン２６の押圧部分の高さを変える等しても良いものである。
【００３３】
また、リリースレバー１８はコードリールケース１３から隔壁体２１により隔てられた逆の位置に設けられているので、リリースレバー１８が電源コード１２に干渉することなく、スムーズに電源コード１２を収納できる。また、リリースレバー１８は電源コード１２の熱の影響を受ける事が無く、熱変形を防止することができ、リリースレバー１８の変形によりブレーキ解除性能が低下してコード収納性能が悪化する、ということがなくなり、信頼性が向上するとともに使い勝手も良いものとなる。
【００３４】
さらに、リリースレバー１８は周囲より隔離されたリリースレバー収納室２３に設けられているため、電動送風機２の発熱および排気の熱さらに電源コード１２の熱の影響を受けず、熱変形を防止する事ができる。また、電動送風機２からの排気による細塵がリリースレバー１８に付着する事が無く、細塵付着によるリリースレバー１８の摩擦を軽減できる。さらに、電源コード２等の干渉も無く、より確実にリリースレバー１８を動作させることができ、使い勝手を向上できる。
【００３５】
加えて、リリースレバー収納室２３を、隔壁体２１と本体の壁２２により設けてあるため、蓋体等の別部品を用いることなく、周囲より隔離されたリリースレバー収納室２３を構成することができ、部品点数を削減でき、安価に使い勝手を向上できる。
【００３６】
また、リリースレバー１８の加振アーム体１０を押圧する位置は、除塵体７の軸Ａ８とバネ体９の間に設定してあるため、リリースレバー１８の加振アーム体１０を押圧する位置が除塵体７の軸Ａ８と近く、リリースレバー１８の摺動距離が少ない場合においても、加振アーム体１０を大きく回転動作させることができ、よってその分使用者による操作ボタン２６の摺動動作を少なくすることができ、使い勝手を向上できる。また、リリースレバー１８の摺動距離を小さくすることができるため、掃除機本体１の大きさをより小さくすることができる。
【００３７】
また、加振アーム体１０はリリースレバー１８によりどんなに押圧されても、約１０度の回転角度において、位置規制リブ体２４により回動が規制され、その後、加振アーム体１０はたわみにより変形するだけで回動はしないため、リリースレバー１８の摺動距離と加振アーム体１０の回動距離はそれぞれ別々に自由に設定することができる。よって最適な操作ボタン２６の摺動距離と、除塵体７の回転距離をそれぞれに設定できるため、使い勝手を向上できる。
【００３８】
さらに、加振アーム体１０は、薄肉部２５を設けているため、加振アーム体１０が位置規制リブ体２４により回動規制された後、さらにブレーキレバー１７により押圧された際に、薄肉部２５がたわみ易く、確実にブレーキレバー１７の力を逃がす事ができるため、使い勝手を向上できる。
【００３９】
また、リリースレバー１８をＰＯＭ樹脂、加振アーム体１０をＡＢＳ樹脂と異なる材質で構成したため、リリースレバー１８と加振アーム体１０の当接の際の摩擦による磨耗を軽減することができ、製品の寿命を長くする事ができるため、使い勝手を向上できる。
【００４０】
（実施の形態２）
本発明の第２の実施の形態について図１４、図１５をもとに説明する。なお、実施の形態１と同一部分については同一符号を付してその説明を省略する。図１４は第２の実施の振動機構の主用部品の右側面図を示し、図１５は振動機構の主用部品の左側面図を示す。
【００４１】
除塵体７は本体１に軸Ａ８により軸支され、回動自在であり、除塵体７の軸Ａ８の後方には、除塵体７と連動し、付勢手段であるバネ体９により上方に付勢された加振アーム体１０を備える。一方、軸Ｃ１６により軸支され、コードリールケース１３の回転を制止する位置および解放する位置に回動可能に取り付けられたブレーキレバー１７を備える。また、上下方向に摺動可能で加振アーム体１０を下方向に押圧可能であるリリースレバー１８を備える。このリリースレバー１８の、前記加振アーム体１０を押圧する位置は、加振アーム体１０の軸Ａ８からバネ体９の距離より離れた位置に設けてある。
【００４２】
また、コードリールケース１３を軸支し保持する隔壁体２１を備え、隔壁体２１とコードリールケース１３の間に、リリースレバー１８を配置している。
【００４３】
以上のように構成された電気掃除機について、以下その動作、作用を説明する。
【００４４】
電源コード１２を掃除機本体１に収納する際には、操作ボタン２６を下方向に押すと、操作ボタン２６にリリースレバー１８の押圧部２０があたり、リリースレバー１８が下方向に摺動し、さらにリリースレバー１８が加振アーム体１０を押圧することにより、加振アーム体１０をリブ体１４とあたらない位置に移動させるのは先の実施の形態１と同様である。
【００４５】
個々でこの実施の形態２では、リリースレバー１８の加振アーム体１０を押圧する位置が加振アーム体１０の軸Ａ８と離れているため、軽い力で加振アーム体１０を回転動作することができ、操作ボタン２６を押す動作に余分な負担を与えることが無く、使い勝手を向上できる。
【産業上の利用可能性】
【００４６】
以上のように、本発明にかかる電気掃除機は、長期間使用していても、電源コード収納時に使用するリリースレバーの熱変形を抑制できるから、電源コードの収納がスムーズに行え、信頼性の高い電気掃除機とすることができ、家庭、業務用等の電気掃除機に特に有用である。
【図面の簡単な説明】
【００４７】
【図１】本発明の実施の形態１を示す電気掃除機の全体斜視図
【図２】同電気掃除機の掃除機本体の平面図
【図３】同図２のＡ−Ａ断面図
【図４】同電気掃除機の振動機構の主用部品の右側面図
【図５】同電気掃除機の振動機構の左側面図
【図６】同電気掃除機の振動機構の全体斜視図
【図７】同電気掃除機の振動機構の主用部品より隔壁体を除いた右側面図
【図８】同電気掃除機の振動機構の主用部品より隔壁体を除いた左側面図
【図９】同電気掃除機の振動機構の主用部品より隔壁体を除いた全体斜視図
【図１０】同電気掃除機の操作ボタン周辺部品の平面図
【図１１】同電気掃除機の断面斜視図
【図１２】同電気掃除機の電源コードを引き出す時の動作説明図
【図１３】同電気掃除機の電源コードを収納する時の動作説明図
【図１４】本発明の実施の形態２を示す電気掃除機の振動機構の主用部品の右側面図
【図１５】同電気掃除機の振動機構の主用部品の左側面図
【符号の説明】
【００４８】
３  紙袋(集塵体)
７  除塵体
９  バネ体
１０  加振アーム体
１２  電源コード
１３  コードリールケース
１４  リブ体
１７  ブレーキレバー
１８  リリースレバー
１９  ブレーキレバー押圧部
２０  リリースレバー押圧部
２１  隔壁体
２２  本体の壁
２３  リリースレバー収納室
２４  位置規制リブ体
２５  薄肉部
２６  操作ボタン
【図１】
2006158571.tif 000003
【図２】
2006158571.tif 000004
【図３】
2006158571.tif 000005
【図４】
2006158571.tif 000006
【図５】
2006158571.tif 000007
【図６】
2006158571.tif 000008
【図７】
2006158571.tif 000009
【図８】
2006158571.tif 000010
【図９】
2006158571.tif 000011
【図１０】
2006158571.tif 000012
【図１１】
2006158571.tif 000013
【図１２】
2006158571.tif 000014
【図１３】
2006158571.tif 000015
【図１４】
2006158571.tif 000016
【図１５】
2006158571.tif 000017